(57)【要約】【課題】  本考案の目的は、入れ物としての機能に加え、例えば敷き物としての機能も有する折畳式バッグを提供することにある。【解決手段】  折畳式バッグ１は、バッグ本体１０と、提げ部４とを有している。バッグ本体１０は、一枚のシート材２を折り畳み、折り畳まれたシート材２の折曲部同士をスナップボタン（固定部）３で固定してなる。このバッグ本体１０は、スナップボタン３による固定を解除することにより、シート材２を展開した展開状態と、シート材２を折り曲げることにより折曲部２０同士をスナップボタン３で固定した組立状態となるよう構成されている。【選択図】図１
0003210831.tif 000002
【実用新案登録請求の範囲】
【請求項１】
一枚のシート材を折り畳み、折り畳まれた前記シート材の折曲部同士を固定部で固定してなるバッグ本体を有し、
前記バッグ本体は、前記固定部による固定を解除することにより、前記シート材を展開した展開状態と、前記シート材を折り曲げ、前記折曲部同士を前記固定部で固定した組立状態となるよう構成されていることを特徴とする折畳式バッグ。
【請求項２】
前記固定部は、前記シート材に取り付けられている請求項１に記載の折畳式バッグ。
【請求項３】
前記固定部は、スナップボタンで構成されている請求項１または２に記載の折畳式バッグ。
【請求項４】
前記展開状態の前記シート材は、平面視で略円形状をなしている請求項１ないし３のいずれかに記載の折畳式バッグ。
【請求項５】
さらに、前記シート材に連結された提げ部を備える請求項１ないし４のいずれかに記載の折畳式バッグ。
【考案の詳細な説明】
【技術分野】
【０００１】
本考案は、折畳式バッグに関する。
【背景技術】
【０００２】
これまで、簡単かつコンパクトに纏められる各種のバッグが提案されている（例えば、特許文献１参照）。しかしながら、いずれのバッグも入れ物としての機能しか有していない。
【先行技術文献】
【特許文献】
【０００３】
【特許文献１】実用新案登録第３１２９６６４号公報
【考案の概要】
【考案が解決しようとする課題】
【０００４】
本考案の目的は、入れ物としての機能に加え、敷き物としての機能も有する折畳式バッグを提供することにある。
【課題を解決するための手段】
【０００５】
このような目的は、下記（１）〜（５）の本考案により達成される。
（１）  一枚のシート材を折り畳み、折り畳まれた前記シート材の折曲部同士を固定部で固定してなるバッグ本体を有し、
前記バッグ本体は、前記固定部による固定を解除することにより、前記シート材を展開した展開状態と、前記シート材を折り曲げ、前記折曲部同士を前記固定部で固定した組立状態となるよう構成されていることを特徴とする折畳式バッグ
【０００６】
（２）  前記固定部は、前記シート材に取り付けられている上記（１）に記載の折畳式バッグ。
【０００７】
（３）  前記固定部は、スナップボタンで構成されている上記（１）または（２）に記載の折畳式バッグ。
【０００８】
（４）  前記展開状態の前記シート材は、平面視で略円形状をなしている上記（１）ないし（３）のいずれかに記載の折畳式バッグ。
【０００９】
（５）  さらに、前記シート材に連結された提げ部を備える上記（１）ないし（４）のいずれかに記載の折畳式バッグ。
【図面の簡単な説明】
【００１０】
【図１】本考案の折畳式バッグの実施形態を示す斜視図である。
【図２】バッグ本体を組み立てる過程を示す図である。
【図３】バッグ本体を組み立てる過程を示す図である。
【図４】バッグ本体を組み立てる過程を示す図である。
【図５】バッグ本体を組み立てる過程を示す図である。
【考案を実施するための形態】
【００１１】
以下、本考案の折畳式バッグについて、添付図面に示す好適実施形態に基づいて詳細に説明する。
図１は、本考案の折畳式バッグの実施形態を示す斜視図、図２〜図５は、それぞれバッグ本体を組み立てる過程を示す図である。
【００１２】
図１に示す折畳式バッグ１は、バッグ本体１０と、提げ部４とを有している。
バッグ本体１０（シート材２）の外周部には、所定の位置に４つの貫通孔２０が形成されている。
提げ部４は、紐状、帯状の可撓性を有する長尺部材で構成されており、その両端部を貫通孔２０に挿通し、玉止め４１を形成することでバッグ本体１０に連結されている。なお、提げ部４は、シート材２に対して、例えば、接着剤による接着、融着（熱融着、超音波融着、高周波融着）、カシメ、スナップボタンによる固定等の方法によって、連結されていてもよい。
【００１３】
バッグ本体１０は、一枚のシート材２を折り畳み、折り畳まれたシート材２の折曲部同士をスナップボタン（固定部）３で固定してなる。
かかるバッグ本体１０は、スナップボタン３による固定を解除することにより、シート材２を展開した展開状態（図２参照）と、シート材２を折り曲げることにより折曲部２０同士をスナップボタン３で固定した組立状態（図１参照）となるよう構成されている。
【００１４】
展開状態のシート材２は、敷き物（例えば、レジャーシート等）として使用することができる。一方、組立状態のシート材２、すなわちバッグ本体１０は、その内部に種々の物品（例えば、弁当箱、水筒等）を収納して運ぶことができる。
図２に示すように、展開状態のシート材２は、平面視で略円形状をなしている。展開状態のシート材２の平面視での形状は、略楕円形状、略四角形状、略六角形状等とすることができるが、略円形状とすることにより、組立状態でのバッグ本体１０の外形の見栄えがよくなる。
【００１５】
このようなシート材２の素材としては、特に限定されないが、例えば、木材、紙、合成紙、プラスチックフィルム等が挙げられる。これらの中でも、水を吸わないので抽出成分の移行がなく、色移りもないことから、シート材２の素材としては、合成紙が好ましい。
合成紙としては、いずれも株式会社ユポ・コーポレーション社製の品番ＱＪＪ３５０、品番ＦＪＳ３００等を好適に使用することができる。なお、シート材２に十分な機械的強度を付与する観点から、１００μｍ以上の厚みを有する合成紙を使用することが好ましく、３００μｍ以上の厚みを有する合成紙を使用することがより好ましい。
【００１６】
図２に示すように、シート材２は、組立状態にするため、破線で示される複数の谷折り部２１ａ〜２１ｈと、一点鎖線で示される複数の山折り部２２ａ〜２２ｄとが形成されている。
谷折り部２１ａ〜２１ｄは、シート材２の中央部に正方形を形成するように配置され、谷折り部２１ｅ〜２１ｈは、正方形の４つの頂点からシート材２の外周に至るまで放射状に配置されている。また、山折り部２２ａ、２２ｂは、谷折り部２１ｅ、２１ｈの間で、正方形の２つの頂点から延在してシート材２の外周で互いに交わるように配置され、山折り部２２ｃ、２２ｄは、谷折り部２１ｆ、２１ｇの間で、正方形の２つの頂点から延在してシート材２の外周で互いに交わるように配置されている。
【００１７】
バッグ本体１０の上側両端部（シート材２の外周部）の対向する位置には、２つのスナップボタン３が設けられている。各スナップボタン２は、オスボタン３１と、このオスボタン３１と嵌合するメスボタン３２とで構成されている。
２つのオスボタン３１のうちの一方は、谷折り部２１ｅの左側に、他方は、谷折り部２１ｇの右側に固定されている、一方、２つのメスボタン３２のうちの一方は、谷折り部２１ｈの右側に、他方は、谷折り部２１ｆの左側に固定されている。
このようなシート材２は、次のようにして組み立てることができる。
【００１８】
まず、図３に示すように、展開状態のシート材２の端部を、谷折り部２１ｃ、２１Ｆ、２１ｇに沿って、上方に向かって折り曲げていく。次に、図４に示すように、シート材２を、山折り部２２ｃ、２２ｄに沿って、オスボタン３１とメスボタン３２とを接近させるように折り曲げていく。その後、オスボタン３１とメスボタン３２とを嵌合させて固定する。
以上の操作を、図５に示すように、シート材２の対向する端部においても行うことにより、シート材２が組立状態となり、バッグ本体１０に変形させることができる。
【００１９】
以上説明したような折畳式バッグ１は、入れ物としての機能と、敷き物としての機能とを有するため、利便性が高い。
以上、本考案の折畳式バッグについて説明したが、本考案はこれに限定されるものではなく、例えば、折畳式バッグを構成する各部は、同様の機能を発揮する構成と置換することができ、また、任意の構成が追加されてもよい。
【００２０】
例えば、固定部３は、スナップボタンに代えて、例えば、面ファスナー、フック、クリップ等で構成するようにしてもよい、なお、固定部３をクリップで構成する場合、クリップは、シート材２に取り付けられていてもよく、取り付けられていなくてもよい。
また、提げ部４は、必要に応じて設けるようにすればよく、省略することもできる。
【符号の説明】
【００２１】
１              折畳式バッグ
１０            バッグ本体
２              シート材
２０            貫通孔
２１ａ〜２１ｈ  谷折り部
２２ａ〜２２ｄ  山折り部
３              スナップボタン
３１            オスボタン
３２            メスボタン
４              提げ部
４１            玉止め
【図１】
0003210831.tif 000003
【図２】
0003210831.tif 000004
【図３】
0003210831.tif 000005
【図４】
0003210831.tif 000006
【図５】
0003210831.tif 000007